(57)【特許請求の範囲】
【請求項１】
血液をディスクの遠心分離容器に供給する段階と、
前記ディスクを回転させて、前記遠心分離容器の内部で前記血液を血球および血漿に遠心分離し、時間あたりの前記遠心分離容器の内部における前記血球の実際の移動距離を検出する段階と、
前記時間あたりの前記血球の実際の移動距離を示す第１グラフ、および前記時間あたりの前記血球の理論的移動距離を示す第２グラフを算出し、前記第１グラフと前記第２グラフとを比較して前記血液のヘマトクリットおよび前記血漿の粘度を算出する段階とを含むことを特徴とする、血液の状態確認方法。
【請求項２】
前記血球の実際の移動距離を検出する段階は、前記時間あたりの前記遠心分離容器の内部を撮影したイメージを用いることを特徴とする、請求項１に記載の血液の状態確認方法。
【請求項３】
前記血球の実際の移動距離を検出する段階は、前記イメージから明暗を分析して暗領域に対して重心（ｃｅｎｔｅｒ  ｏｆ  ｍａｓｓ）を計算し、前記重心を基準として前記暗領域の最短距離を測定して行うことを特徴とする、請求項２に記載の血液の状態確認方法。
【請求項４】
前記血液のヘマトクリットを算出する段階は、下記の数式を用いて前記第２グラフを算出し、下記のｒｐを前記時間あたりの前記血球の実際の移動距離に適用した後、下記のθを算出して行うことを特徴とする、請求項１に記載の血液の状態確認方法。
【数１】
0005770388.tif 000008
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
【請求項５】
前記血漿の粘度を算出する段階は、下記の数式を用いて前記第２グラフを算出し、下記のｒｐを前記時間あたりの前記血球の実際の移動距離に適用した後、下記のｕｆを算出して行うことを特徴とする、請求項１に記載の血液の状態確認方法。
【数２】
0005770388.tif 000009
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
【請求項６】
血液が供給される遠心分離容器を含み、回転して、前記遠心分離容器の内部で前記血液を血球および血漿に遠心分離するディスクと、
前記ディスクの上側に位置し、時間あたりの前記遠心分離容器の内部を撮影する撮影部と、
前記撮影部に連結されており、前記撮影部が撮影したイメージを用いて前記時間あたりの前記遠心分離容器の内部における前記血球の実際の移動距離を検出し、前記時間あたりの前記血球の実際の移動距離を示す第１グラフ、および前記時間あたりの前記血球の理論的移動距離を示す第２グラフを算出し、前記第１グラフと前記第２グラフとを比較して前記血液のヘマトクリットおよび前記血漿の粘度を算出する制御部とを含むことを特徴とする、ディスク型微細流体システム。
【請求項７】
前記制御部は、
下記の数式を用いて前記第２グラフを算出し、下記のｒｐを前記時間あたりの前記血球の実際の移動距離に適用した後、下記のθを算出して前記血液のヘマトクリットを算出することを特徴とする、請求項６に記載のディスク型微細流体システム。
【数３】
0005770388.tif 000010
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
【請求項８】
前記制御部は、
下記の数式を用いて前記第２グラフを算出し、下記のｒｐを前記時間あたりの前記血球の実際の移動距離に適用した後、下記のｕｆを算出して前記血漿の粘度を算出することを特徴とする、請求項６に記載のディスク型微細流体システム。
【数４】
0005770388.tif 000011
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
【請求項９】
前記ディスクは、
前記遠心分離容器に連結された血漿容器と、
前記遠心分離容器と前記血漿容器との間を連結する微細バルブとをさらに含むことを特徴とする、請求項６に記載のディスク型微細流体システム。
【発明の詳細な説明】
【技術分野】
【０００１】
本発明は、ディスク型微細流体システムおよび血液の状態確認方法に関するものであって、より詳細には、血液を遠心分離して血漿を抽出するディスク型微細流体システムおよび血液の状態確認方法に関するものである。
【背景技術】
【０００２】
一般に、血液分離、血漿抽出、血液の物性分析などは、それぞれの目的に合わせた装備あるいは装置によって行われる。血液は、遠心分離機のような装置によって血漿および血球に分離され、分離された血漿は、ピペッティング（ｐｉｐｅｔｔｉｎｇ）などで抽出される。また、血液の粘度（ｖｉｓｃｏｓｉｔｙ）およびヘマトクリット（ｈｅｍａｔｏｃｒｉｔ）などの血液の物性は、各物性を測定する専用装備によって分析が行われる。
このような専用装備による一連の過程は、各過程をより正確に行うことができるという利点があるが、血液の状態を確認するために多量の血液が使用される上に、非連続的な過程によって全体的な血液の状態を確認するための検査時間が長くかかるという欠点があった。
【発明の概要】
【発明が解決しようとする課題】
【０００３】
本発明の一実施形態は、血液を遠心分離して血漿を抽出すると同時に、血液の状態を確認するディスク型微細流体システムおよび血液の状態確認方法を提供する。
【課題を解決するための手段】
【０００４】
上記の技術的課題を達成するための本発明の第１側面は、血液をディスクの遠心分離容器に供給する段階と、前記ディスクを回転させて、前記遠心分離容器の内部で前記血液を血球および血漿に遠心分離し、時間あたりの前記遠心分離容器の内部における前記血球の実際の移動距離を検出する段階と、前記時間あたりの前記血球の実際の移動距離を示す第１グラフ、および前記時間あたりの前記血球の理論的移動距離を示す第２グラフを算出し、前記第１グラフと前記第２グラフとを比較して前記血液のヘマトクリットおよび前記血漿の粘度を算出する段階とを含む、血液の状態確認方法を提供する。
【０００５】
前記血球の実際の移動距離を検出する段階は、前記時間あたりの前記遠心分離容器の内部を撮影したイメージを用いることができる。
【０００６】
前記血球の実際の移動距離を検出する段階は、前記イメージから明暗を分析して暗領域に対して重心（ｃｅｎｔｅｒ  ｏｆ  ｍａｓｓ）を計算し、前記重心を基準として前記暗領域の最短距離を測定して行うことができる。
【０００７】
前記血液のヘマトクリットを算出する段階は、下記の数式を用いて前記第２グラフを算出し、下記のｒｐを前記時間あたりの前記血球の実際の移動距離に適用した後、下記のθを算出して行うことができる。
【０００８】
【数１】
0005770388.tif 000002
【０００９】
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
【００１０】
前記血漿の粘度を算出する段階は、下記の数式を用いて前記第２グラフを算出し、下記のｒｐを前記時間あたりの前記血球の実際の移動距離に適用した後、下記のｕｆを算出して行うことができる。
【００１１】
【数２】
0005770388.tif 000003
【００１２】
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
【００１３】
また、本発明の第２側面は、血液が供給される遠心分離容器を含み、回転して、前記遠心分離容器の内部で前記血液を血球および血漿に遠心分離するディスクと、前記ディスクの上側に位置し、時間あたりの前記遠心分離容器の内部を撮影する撮影部と、前記撮影部に連結されており、前記撮影部が撮影したイメージを用いて前記時間あたりの前記遠心分離容器の内部における前記血球の実際の移動距離を検出し、前記時間あたりの前記血球の実際の移動距離を示す第１グラフ、および前記時間あたりの前記血球の理論的移動距離を示す第２グラフを算出し、前記第１グラフと前記第２グラフとを比較して前記血液のヘマトクリットおよび前記血漿の粘度を算出する制御部とを含む、ディスク型微細流体システムを提供する。
【００１４】
前記制御部は、下記の数式を用いて前記第２グラフを算出し、下記のｒｐを前記時間あたりの前記血球の実際の移動距離に適用した後、下記のθを算出して前記血液のヘマトクリットを算出することができる。
【００１５】
【数３】
0005770388.tif 000004
【００１６】
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
【００１７】
前記制御部は、下記の数式を用いて前記第２グラフを算出し、下記のｒｐを前記時間あたりの前記血球の実際の移動距離に適用した後、下記のｕｆを算出して前記血漿の粘度を算出することができる。
【００１８】
【数４】
0005770388.tif 000005
【００１９】
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
【００２０】
前記ディスクは、前記遠心分離容器に連結された血漿容器と、前記遠心分離容器と前記血漿容器との間を連結する微細バルブとをさらに含むことができる。
【発明の効果】
【００２１】
このような本発明の課題を解決するための手段の一部の実施形態の１つによれば、血液を遠心分離して血漿を抽出すると同時に、血液の状態を確認するディスク型微細流体システムおよび血液の状態確認方法が提供される。
【図面の簡単な説明】
【００２２】
【図１】本発明の第１実施形態にかかるディスク型微細流体システムを示す図である。
【図２】図１に示されたディスクを示す図である。
【図３】本発明の第１実施形態にかかるディスク型微細流体システムを用いて血漿を抽出することを示す写真である。
【図４】本発明の第２実施形態にかかる血液の状態確認方法を説明するための図である。
【図５】本発明の第２実施形態にかかる血液の状態確認方法を説明するための図である。
【発明を実施するための形態】
【００２３】
以下、添付した図面を参照して、本発明の様々な実施形態について、本発明の属する技術分野における通常の知識を有する者が容易に実施できるように詳細に説明する。本発明は、様々な異なる形態で実現可能であり、ここで説明する実施形態に限定されない。
本発明を明確に説明するために説明上不必要な部分は省略し、明細書全体にわたって同一または類似の構成要素については同一の参照符号を付す。
また、図面に示された各構成の大きさおよび厚さは、説明の便宜のために任意に示したので、本発明が必ずしも図示したものに限定されない。
【００２４】
図面において、説明の便宜のために、一部の層および領域の厚さを誇張して示した。一部分が他の部分の「上側に」あるとする時、これは、一部分が他の部分の「直上側に」ある場合だけでなく、その中間にさらに他の部分がある場合も含む。
また、明細書全体において、ある部分がある構成要素を「含む」とする時、これは、特に反対となる記載がない限り、他の構成要素を除くのではなく、他の構成要素をさらに包含できることを意味する。さらに、明細書全体において、「〜上側に」とは、対象部分の上または下に位置することを意味するものであり、必ずしも重力方向を基準として上側に位置することを意味するものではない。
【００２５】
以下、図１および図２を参照して、本発明の第１実施形態にかかるディスク型微細流体システムを説明する。
図１は、本発明の第１実施形態にかかるディスク型微細流体システムを示す図である。
図１に示されているように、本発明の第１実施形態にかかるディスク型微細流体システムは、血液を遠心分離すると同時に、血液の状態を確認し、ディスク１００と、駆動部２００と、センサ３００と、調節部４００と、照明部５００と、鏡６００と、撮影部７００と、制御部８００とを含む。
【００２６】
図２は、図１に示されたディスクを示す図である。
図２に示されているように、ディスク１００は、円形のディスク形態を有し、中心軸Ｃを基準として自体回転して、外部から供給された血液を血球および血漿に遠心分離する。ディスク１００には、注入口１１０、遠心分離容器１２０、廃物移動チャネル１３０、廃物収容容器１４０、微細バルブ１５０、血漿容器１６０、および空気噴出口１７０が、フォトリソグラフィ（ｐｈｏｔｏｌｉｔｈｏｇｒａｐｈｙ）などのＭＥＭＳ技術、または反対形状を有する金型インサートを用いた射出成形、ホットエンボシング、ＵＶ−モールディング、鋳造などの大量生産方法により負角形成されてよい。ディスク１００は、金属材料、セラミック材料、またはＣＯＣ（ｃｙｃｌｉｃ  ｏｌｅｆｉｎ  ｃｏｐｏｌｙｍｅｒ）、ＰＭＭＡ（ｐｏｌｙｍｅｔｈｙｌｍｅｔｈａｃｒｙｌａｔｅ）、ＰＳ（ｐｏｌｙｓｔｙｒｅｎｅ）、ＰＣ（ｐｏｌｙｃａｒｂｏｎａｔｅ）、ＰＤＭＳ（ｐｏｌｙｄｉｍｅｔｈｙｌｓｉｌｏｘａｎｅ）、Ｔｅｆｌｏｎ（Ｐｏｌｙｔｅｔｒａｆｌｕｏｒｏｅｔｈｙｌｅｎｅ）、ＰＶＣ（ｐｏｌｙｖｉｎｙｌｃｈｌｏｒｉｄｅ）などの高分子材料で形成されてよい。
【００２７】
注入口１１０は、中心軸Ｃに隣接してディスク１００の内部に配置され、血液が供給される通路である。
遠心分離容器１２０は、注入口１１０に連結されており、注入口１１０から供給される血液が位置する容器である。ディスク１００が回転すると、遠心分離容器１２０の内部で血液が血球および血漿に遠心分離される。
廃物移動チャネル１３０は、遠心分離容器１２０と注入口１１０との間に位置し、ディスク１００の回転時、遠心分離容器１２０から溢れた血液が廃物収容容器１４０に移動する通路である。
廃物収容容器１４０は、廃物移動チャネル１３０によって遠心分離容器１２０に連結されており、ディスク１００の回転時、遠心分離容器１２０から溢れた血液を収容する容器である。
【００２８】
微細バルブ１５０は、遠心分離容器１２０と血漿容器１６０との間を連結し、血液のヘマトクリットを考慮してその位置が決定されることにより、遠心分離容器１２０の内部で遠心分離された血漿のみが通過する通路である。より詳細には、微細バルブ１５０は、一般的なヘマトクリットの範囲である３０％〜６０％を考慮して、遠心分離容器１２０の全幅ＷＤの３０％〜６０％である一幅Ｄに対応するように配置されてよい。微細バルブ１５０は、ディスク１００の回転角速度に応じて開閉が調節可能である。詳細には、ディスク１００の回転に応じた遠心力によって微細バルブ１５０の周囲に形成される第１圧力と、微細バルブ１５０内部の表面張力によって形成される第２圧力との間の差によって、微細バルブ１５０の開閉が調節される。一例として、第１圧力が第２圧力より大きい場合、微細バルブ１５０は開放され、微細バルブ１５０を介して遠心分離容器１２０から血漿容器１６０に血漿が移動し、第２圧力が第１圧力より大きい場合、微細バルブ１５０は閉鎖され、微細バルブ１５０を介して遠心分離容器１２０から血漿容器１６０に血液が移動しない。第１圧力は、ディスク１００の回転角速度に比例することから、ディスク１００の回転角速度を調節し、血液の遠心分離時、第２圧力が第１圧力より大きくなるように調節し、血漿抽出時、第１圧力が第２圧力より大きくなるように調節することにより、ディスク１００の回転角速度を調節し、遠心分離および血漿抽出それぞれに対応して微細バルブ１５０の開閉それぞれを調節することができる。
【００２９】
血漿容器１６０は、微細バルブ１５０を介して遠心分離容器１２０に連結されており、遠心分離容器１２０で血液から遠心分離された血漿を収容する容器である。血漿容器１６０に収容された血漿は、血漿容器１６０に連結された１つのチャネルを介して他の容器に移動して貯蔵できる。
【００３０】
空気噴出口１７０は、遠心分離容器１２０、廃物収容容器１４０、および血漿容器１６０それぞれに連結されており、各容器に血液および血漿などの流体が供給される時、各容器の内部を占めている空気が抜け出る通路である。
【００３１】
以下、図３を参照して、本発明の第１実施形態にかかるディスク型微細流体システムのディスクで血漿を抽出することを説明する。
図３は、本発明の第１実施形態にかかるディスク型微細流体システムのディスクで血漿を抽出することを示す写真である。
図３の（ａ）〜（ｈ）は、実際に作製されたディスク型微細流体システムのディスク１００を用いて行った微量の血液の遠心分離と血漿抽出の実験過程を時間に応じて示す写真である。図３の（ａ）〜（ｅ）から明らかなように、ディスク１００が回転するに伴って誘発される遠心力によって、遠心分離容器１２０に注入された血液ＢＬの遠心分離が行われる。この過程で、図３の（ｂ）のように、血液ＢＬは血球Ｂおよび血漿Ｌに明確に区分され、血球Ｂが回転中心の外郭方向に沈殿する現象を示し、一定時間後には図３の（ｅ）のようにそれ以上沈殿が進行しない。また、血液ＢＬの遠心分離が行われている間、微細バルブ１５０によって血液または血漿の移動を防止する。
【００３２】
その後、ディスク１００の回転角速度を増加させて微細バルブ１５０を開放し、遠心分離された血漿Ｌの抽出を誘導する。図３の（ｆ）〜（ｈ）から明らかなように、遠心分離容器１２０の上層部に分離された血漿Ｌは、微細バルブ１５０を介して血漿容器１６０に移動する。これにより、本発明の第１実施形態にかかるディスク型微細流体システムのディスク１００を用いることで、便利で効率的な方法で微量の血液を遠心分離し、血漿を抽出可能であることを確認することができる。
【００３３】
再び図１を参照すれば、駆動部２００は、ディスク１００を支持し、モータ（ｍｏｔｅｒ）などの駆動手段を含み、ディスク１００を回転させる。
センサ３００は、ディスク１００に隣接して位置し、ディスク１００の回転数をセンシングする役割を果たす。
調節部４００は、センサ３００および駆動部２００に連結されており、ディスク１００の回転数をセンシングしたセンサ３００から信号を受けて、駆動部２００によるディスク１００の回転を調節する役割を果たす。調節部４００によってディスク１００の回転角速度が調節できる。
【００３４】
照明部５００は、調節部４００に連結されており、ディスク１００の回転数に同期して、閃光形態で照明を鏡６００に映す。
鏡６００は、ディスク１００の下側に位置し、照明部５００から照射された照明をディスク１００方向に反射する。
撮影部７００は、ディスク１００の遠心分離容器１２０および鏡６００に対応してディスク１００の上側に位置し、ディスク１００の回転数に同期して、照明を用いて時間あたりの遠心分離容器１２０の内部を撮影する。撮影部７００は、時間あたりの遠心分離容器１２０の内部をイメージ（ｉｍａｇｅ）化する。
【００３５】
制御部８００は、撮影部７００に連結されており、撮影部７００が撮影したイメージを用いて時間あたりの遠心分離容器１２０の内部における血球の実際の移動距離を検出し、時間あたりの血球の実際の移動距離を示す第１グラフ、および時間あたりの血球の理論的移動距離を示す第２グラフを算出し、第１グラフと第２グラフとを比較して血液のヘマトクリットおよび血漿の粘度を算出する。つまり、制御部８００は、ディスク１００で遠心分離される血液のヘマトクリットおよび血漿の粘度を算出し、血液の状態を確認する。
制御部８００は、下記の数式を用いて第２グラフを算出し、下記のｒｐを時間あたりの血球の実際の移動距離に適用した後、下記のθを算出して血液のヘマトクリットを算出する。
【００３６】
【数５】
0005770388.tif 000006
【００３７】
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
また、制御部８００は、前記数式を用いて第２グラフを算出し、前記ｒｐを時間あたりの血球の実際の移動距離に適用した後、前記ｕｆを算出して血漿の粘度を算出する。
【００３８】
以下、図４および図５を参照して、上述した本発明の第１実施形態にかかるディスク型微細流体システムを用いた本発明の第２実施形態にかかる血液の状態確認方法を説明する。
図４および図５は、本発明の第２実施形態にかかる血液の状態確認方法を説明するための図である。
まず、血液をディスク１００の遠心分離容器１２０に供給する。
次に、ディスク１００を回転させて、遠心分離容器１２０の内部で血液を血球および血漿に遠心分離し、時間あたりの遠心分離容器１２０の内部における血球の実際の移動距離を検出する。
【００３９】
図４は、時間あたりの遠心分離容器の内部を撮影したイメージを示す写真である。
詳細には、図４に示されているように、時間あたりの遠心分離容器１２０の内部を撮影した原イメージ｛図４の（ａ）、（ｂ）、（ｃ）それぞれの左側のイメージ｝から明暗を分析し、後イメージ｛図４の（ａ）、（ｂ）、（ｃ）それぞれの右側のイメージ｝に補正する。この時、後イメージにおいて、血球の沈殿部分は白色とし、背景は黒色に変更する。その後、後イメージの血球の沈殿部分である暗領域ＤＡに対して重心（ｃｅｎｔｅｒ  ｏｆ  ｍａｓｓ）を計算し、重心を基準として暗領域ＤＡの最短距離ＳＬを測定し、時間あたりの遠心分離容器１２０の内部における血球の実際の移動距離を検出する。全体イメージフレームに対してこのような処理を施すことにより、結果的に血球の沈殿する高さを時間に応じて示すデータが得られる。このような検出は制御部８００が行うことができる。
【００４０】
次に、血液のヘマトクリットおよび血漿の粘度それぞれを算出する。
詳細には、時間あたりの前記血球の実際の移動距離を示す第１グラフ、および時間あたりの血球の理論的移動距離を示す第２グラフを算出し、第１グラフと第２グラフとを比較して血液のヘマトクリットおよび血漿の粘度を算出する。
以下、血液のヘマトクリットおよび血漿の粘度それぞれを算出する方法をより詳細に説明する。
【００４１】
図５は、時間あたりの血球の実際の移動距離を示す第１グラフ、および時間あたりの血球の理論的移動距離を示す第２グラフを示すグラフである。図５のｘ軸は時間（ｓｅｃｏｎｄ）であり、ｙ軸は血球の移動距離（ｍ）である。
図５に示されているように、時間あたりの血球の実際の移動距離を示す実験的グラフである第１グラフＧ１は、上述のように、ディスク型微細流体システムの撮影部７００を通して得られたイメージを分析して検出する。
時間あたりの血球の理論的移動距離を示す理論的グラフである第２グラフＧ２は、下記の数式を用いて算出する。
【００４２】
【数６】
0005770388.tif 000007
【００４３】
前記数式において、πは円周率であり、ｐｐは前記血球の密度であり、ｄｐは前記血球の直径であり、ｒ’’ｐは前記血球の移動加速度であり、ｐｆは前記血漿の密度であり、ｗは前記ディスクの回転角速度であり、ｒｐは前記血球の移動距離であり、ｒ’ｐは前記血球の移動速度であり、ｕｆは前記血漿の粘度であり、θは前記血液の全体体積に対して前記血球の占める体積比である。
前記数式は、特定の流体に存在する多数の球状粒子が遠心力によって沈殿する時、前記多数の球状粒子が形成する動的力均衡（ｄｙｎａｍｉｃ  ｆｏｒｃｅ  ｂａｌａｎｃｅ）に基づいて行われた。まず、特定の流体で１つの球状粒子が遠心力によって沈殿すると、粒子の運動は、遠心力（ｃｅｎｔｒｉｆｕｇａｌ  ｆｏｒｃｅ）、浮力（ｂｕｏｔａｎｃｙ  ｆｏｒｃｅ）、牽引力（ｄｒａｇ  ｆｏｒｃｅ）によって動的力均衡をなし、血球を剛体と仮定して変形度のない粒子と仮定した後、多数の粒子が沈殿する状況を考慮して、流体の粘度の代わりに多数の粒子を含む流体の粘度値を適用し、これを数式化して導出した。
【００４４】
前記数式に基づいて反復計算（ｉｔｅｒａｔｉｏｎ）をして第２グラフＧ２を算出する。第２グラフＧ２を算出する時、π、ｐｐ、ｄｐ、ｐｆ、ｗ、ｕｆ、θに予め設定された理論的値を適用してｒ’’ｐ、ｒ’ｐ、ｒｐを算出する。
第１グラフＧ１と第２グラフＧ２とを比較して血液のヘマトクリットおよび血漿の粘度それぞれを算出する。
まず、血液のヘマトクリットは、第２グラフＧ２を求める時、血液の全体体積に対して血球の占める体積比であるθを変化させて第１グラフＧ１に最も類似するグラフを探すと、その時の体積比であるθの百分率が、実際にディスク１００の遠心分離容器１２０で遠心分離された血液のヘマトクリット値となる。一例として、ｒｐを第１グラフＧ１の時間あたりの血球の実際の移動距離に適用すると、数式を用いてθを算出して血液のヘマトクリット値を算出する。
【００４５】
次に、血漿の粘度は、第１グラフＧ１に示される血球の移動速度が、第２グラフＧ２の血球の移動速度であるｒ’ｐより速ければ、血漿の粘度が理論値に比べて小さいのであり、遅ければ、血漿の粘度が理論値に比べて高いのである。このような類推方法で実際の血漿の粘度値を予測する。一例として、グラフの０秒〜５０秒の区間は、血液の遠心分離において血漿の粘度が最も大きい影響を与える区間であることを考慮して、血漿の粘度を知ることができる。理論的グラフと比較して、実験的グラフに示される粒子の移動速度が速ければ、血漿の粘度が理論値に比べて小さいのであり、遅ければ、血漿の粘度が理論値に比べて高いのである。このような類推方法で実際の血漿の粘度値を予測する。ｒｐを第１グラフＧ１の時間あたりの血球の実際の移動距離に適用すると、数式を用いてｕｆを算出して血漿の粘度を算出する。
【００４６】
このように、血液遠心分離の推移を示す実験的グラフの第１グラフＧ１と理論的グラフの第２グラフＧ２とを比較して、血液の主要物性である血液のヘマトクリットおよび血漿の粘度を算出することができ、これを血液の状態を計る尺度として利用することができる。
以上のように、本発明の第１実施形態にかかるディスク型微細流体システムおよびこれを用いた本発明の第２実施形態にかかる血液の状態確認方法は、血液を遠心分離して血漿を抽出すると同時に、血液の状態を確認することにより、追加的な血液の状態を確認するための装備を必要としないと同時に、血液の状態を確認するための追加の時間を必要としない。
【００４７】
本発明を上記の好ましい実施形態により説明したが、本発明は、これに限定されず、以下に記載する特許請求の範囲の概念および範囲を逸脱しない限り、多様な修正および変形が可能であることを、本発明の属する技術分野に従事する者は容易に理解することができる。
【図１】
0005770388.tif 000012
【図２】
0005770388.tif 000013
【図４（ａ）】
0005770388.tif 000014
【図４（ｂ）】
0005770388.tif 000015
【図４（ｃ）】
0005770388.tif 000016
【図３】
0005770388.tif 000017
【図５】
0005770388.tif 000018